(57)【要約】      （修正有）【課題】施工性に優れ、止水性の良い開口部建材を提供する。【解決手段】嵌め殺し窓等の開口部建材において、外周側を柱１ａに固定される縦材２と、内周側にパネルを保持する縦枠３とを備え、縦材２と縦枠３との間には、施工性を良好にするため、係合部６が係合凹部２ｃと係合凸部３ｃによって形成され、且つ、雨水の排水のための空間部７が形成されており、係合部６と空間部７は室内外方向に配設されている。【選択図】図１
2019190056.tif 000002
【特許請求の範囲】
【請求項１】
縦材と、縦枠とを備え、両者間には、互いの位置決めのための係合部と、止水のための空間部が形成されており、係合部と空間部は室内外方向に配設されていることを特徴とする開口部建材。
【発明の詳細な説明】
【技術分野】
【０００１】
本発明は、嵌め殺し窓等の開口部建材に関する。
【背景技術】
【０００２】
従来の開口部建材において、上枠及び下枠は左右の縦枠の間に挟み込まれるように、縦枠の上下端部の内周側にそれぞれ取り付けられる。縦枠は、内周側がパネルを保持可能な形状としてあるため、長さを切り縮めなければならない場合、切断後に上枠と下枠を取り付けるための加工が必要であった。
【先行技術文献】
【非特許文献】
【０００３】
【非特許文献１】「晴れもよう３（土間仕様）  施工要領書（ＨＺ０２０２Ｒ）」三協立山株式会社、２０１６年１２月、ｐ．８０
【発明の概要】
【発明が解決しようとする課題】
【０００４】
このような従来の開口部建材には、縦材と縦枠が一体となった縦枠が用いられており、この一体型の縦枠が外周側を柱等に固定されるとともに内周側にパネルを保持していたが、外周側を固定される縦材と内周側にパネルを保持する縦枠との別体とすることで、切り縮める場合はそれぞれの部材を切断するだけで良いという効果が得られる。しかしながら、別体としたことで、縦材と縦枠との間の止水性が求められた。
本発明は上記課題を鑑み、施工性に優れ、止水性の良い開口部建材を提供することを目的とする。
【課題を解決するための手段】
【０００５】
本発明の開口部建材は、縦材と、縦枠とを備え、両者間には、互いの位置決めのための係合部と、止水のための空間部が形成されており、係合部と空間部は室内外方向に配設されていることを特徴とする。
【発明の効果】
【０００６】
本発明によれば、縦材と縦枠が別体となっているため、切り縮めが必要な場合もそれぞれの部材を切断して取り付けるだけで良いので施工性に優れる。また、縦材と縦枠の間は、位置決めのための係合部と止水のための空間部が設けてあるため、より施工性に優れ、止水性も良い。
【図面の簡単な説明】
【０００７】
【図１】図３のＣ部分拡大図である。
【図２】本発明の開口部建材を適用した簡易構造物であり、（ａ）は正面図、（ｂ）は側面図である。
【図３】図２のＡ−Ａ線断面図である。
【図４】図２のＢ−Ｂ線断面図である。
【図５】縦材と縦枠を分解した状態で示す平面図である。
【発明を実施するための形態】
【０００８】
以下、本発明の実施の形態を図面に基づいて説明する。ここでは、本発明の開口部建材が、図２に示すような、建物の外壁Ｘに隣接して設置される簡易構造物Ｙの欄間部Ｚ１，Ｚ２に用いられる嵌め殺し窓である場合の実施形態を示す。以下の説明において、前後方向とは外壁Ｘから簡易構造物Ｙが突出する方向を示し、室内側及び室外側とは簡易構造物Ｙの室内側及び室外側を示す。
【０００９】
簡易構造物Ｙは、図２に示すように、建物の外壁Ｘから間隔をあけて前側に柱１ａ，１ａ、外壁Ｘに当接する後側に躯体方立１ｂ，１ｂを有する。柱１ａと躯体方立１ｂの上端には、前後方向に妻垂木１ｃが架設してあり、二本の柱１ａ，１ａの上端には、前桁１ｄが左右方向に架設してある。なお、妻垂木１ｃは後側から前側に向かって下方へ傾斜しており、前桁１ｄと同じ高さにおいて、柱１ａと躯体方立１ｂの間には前後方向に腕木１ｅが設けてある。前桁１ｄの下方には、二本の柱１ａ，１ａ間に無目１ｆが設けてあり、左右方向の略中間部において、前桁１ｄと無目１ｆの間には、上下方向に方立１ｇが設けてある。また、無目１ｆと同じ高さにおいて、柱１ａと躯体方立１ｂの間には前後方向に側面無目１ｈが設けてある。簡易構造物Ｙの正面において前桁１ｄ、無目１ｆ、柱１ａ及び方立１ｇによって枠組みされた欄間部Ｚ１と、簡易構造物Ｙの側面において腕木１ｅ、側面無目１ｈ、柱１ａ及び躯体方立１ｂによって枠組みされた欄間部Ｚ２に嵌め込まれている嵌め殺し窓に本実施形態における開口部建材を適用してある。なお、正面と側面の欄間部Ｚ１，Ｚ２に用いる開口部建材は同じ構成であるので、以下では正面の欄間部Ｚ１における開口部建材について詳述し、側面の欄間部Ｚ２については説明を省略する。
【００１０】
開口部建材は、図２及び図４に示すように、上下の横枠１１，１２と、左右の縦材２及び縦枠３によって枠組みされており、その内周にパネル４を保持している。縦材２と縦枠３の間には、図１及び図３に示すように、互いの位置決めのための係合部６と、止水のための空間部７が長手方向に沿って形成されている。係合部６と空間部７は室内外方向に配設されており、縦枠３は係合部６及び空間部７よりも室内側において縦材２に固定されている。
【００１１】
縦材２は上下方向に延びるアルミニウム合金の押出形材であって、図１及び図３に示すように、内周側に縦枠３が取り付けられ、外周側が柱１ａ又は方立１ｇの内周側面に当接してネジ止めされる。縦材２の長手方向の寸法は、図４に示すように、欄間部Ｚ１の上下幅に略等しく、上側の横枠１１の上端から下側の横枠１２の下端に亘っている。縦材２は、図５に示すように、柱１ａ又は方立１ｇの内周側面を覆う縦材本体２ａと、縦材本体２ａの室外側端部から外周側に向かって延出する係止片２ｂを有する。縦材本体２ａは、室内外方向中央よりもやや室外側に、外周側に凹む係合凹部２ｃを長手方向に沿って形成してある。係合凹部２ｃから間隔をあけて室内側には、縦枠３を取り付けるためのネジ孔２ｄが設けてある。また、係合凹部２ｃよりも室外側とネジ孔２ｄよりも室内側の二箇所において、柱１ａ又は方立１ｇへ固定するためのネジ孔２ｅが設けてある。係止片２ｂは、室内側面が柱１ａ又は方立１ｇの室外側面に当接することによって、欄間部Ｚ１の内周へ開口部建材を嵌め込む際の位置決めとなる。
【００１２】
縦枠３は上下方向に延びるアルミニウム合金の押出形材であって、図１及び図３に示すように、内周側にパネル４を保持し、外周側が縦材２に固定される。図４に示すように、縦枠３の上端は、縦材２の上端から上側の横枠１１の寸法分あけて下方に位置し、下端は、縦材２の下端から下側の横枠１２の寸法分あけて上方に位置するため、縦枠３の長手方向の寸法は縦材２よりも短い。そして、縦枠３の室内外の幅は縦材２に設けたネジ孔２ｅ，２ｅ間の幅よりも短く、図５に示すように、縦材２に当接する縦枠本体３ａと、縦枠本体３ａの室外側端部から内周側に向かって延出するパネル保持片３ｂを有する。パネル保持片３ｂの室内側には、パネル４との間にタイト材８が取り付けてある。縦枠本体３ａは、縦材２の係合凹部２ｃと対向する位置に、外周側に向かって突出する係合凸部３ｃを長手方向に沿って設けてある。係合凸部３ｃは縦材２の係合凹部２ｃとともに係合部６を構成し、係合部６は縦材２と縦枠３の位置決めを可能とする。また、縦枠本体３ａには係合凸部３ｃの室内側に隣接して、内周側に凹む溝部３ｄが設けてある。溝部３ｄは縦材本体２ａとともに空間部７を形成している。室外から縦材２と縦枠３との間に雨水等が浸入した場合、空間部７を伝って下方へ落ちるため、空間部７によって室内への浸入を防ぐことが可能となる。空間部７には止水材を充填してもよい。なお、係合部６の凹凸によっても止水できるため、係合部６と空間部７が室内外方向に位置していることによって、より確実に止水が可能となる。そして、溝部３ｄの底部からは内周側に向かって、押縁係止部３ｅが形成してある。押縁係止部３ｅは中間部が室内側へ屈折して溝部３ｄの内周側とともに室内側に開口する凹部を形成し、後述する押縁５の側壁５ｂ端部を挿入可能である。溝部３ｄの室内側には、縦材２のネジ孔２ｄと対向する位置に縦枠３を縦材２へ固定するためのネジ孔３ｆが設けてある。ネジ孔２ｄ，３ｆは、係合部６及び空間部７より室内側に設けてあるため、ネジ孔２ｄ，３ｆから雨水等が浸入することがない。また、縦枠本体３ａの室内側端部には内周側に向かって延びる押縁係止部３ｇが形成してあり、押縁係止部３ｇは溝部３ｄに形成された押縁係止部３ｅとともに、押縁５を係止する。
【００１３】
パネル４は、上下の横枠１１，１２と左右の縦材２及び縦枠３によって構成される枠の内周に室内側から嵌め込んであり、室外側をパネル保持片３ｂ、室内側を押縁５に支持されることによって、左右の縁部を縦枠３と押縁５に挟持されている。
【００１４】
押縁５は縦枠３の長手方向に沿って延びる樹脂製部材であって、見付面５ａと見付面５ａの両端から延出する側壁５ｂ，５ｄによって平面視コ字形状をなし、開口を室外側へ向けて縦枠３に取り付けられる。外周側の側壁５ｂは、見付面５ａとの角部が内側に凹んで被係止部５ｃが形成してあり、端部が室外側の押縁係止部３ｅに係止され、被係止部５ｃが室内側の押縁係止部３ｇに係止されて縦枠３に取り付けられる。内周側の側壁５ｄは、外周側の側壁５ｂよりも室内外方向の長さが短く、端部とパネル４との間にタイト材９が挿入される。
【００１５】
次に、本発明の開口部建材の要部の施工手順について説明する。
縦材２及び縦枠３の長さを欄間部Ｚ１の高さに合わせる必要がある場合は、まず縦材２及び縦枠３をそれぞれ切り縮める。縦材２は、欄間部Ｚ１の高さに切り縮め、縦枠３は、縦材２に取り付けられる上下の横枠１１，１２の幅を考慮して、縦材２よりも短く切り縮める。そして、縦枠３の係合凸部３ｃが縦材２の係合凹部２ｃへ嵌まるように位置決めし、内周側からネジ孔３ｆ，２ｄに縦枠固定ネジ１０を挿入して、縦材２に縦枠３を取り付ける。次に、上下の横枠１１，１２と、左右の縦材２及び縦枠３を枠組みして固定する。枠内にパネル４を入れ、押縁５を室内側から縦枠３に嵌め込んだ後、パネル４と押縁５の間にタイト材９を挿入することによってパネル４が枠内に固定され、開口部建材が完成する。この開口部建材を室外側から欄間部Ｚ１に嵌め込むと、縦材２の係止片２ｂによって柱１ａ及び方立１ｇに対して縦材２及び縦枠３が位置決めされ、縦材２のネジ孔２ｅにおいて柱１ａ及び方立１ｇに固定することによって、欄間部Ｚ１へ開口部建材が取り付けられる。
【００１６】
このように構成した開口部建材によれば、縦材２と縦枠３が別体となっているため、切り縮めが必要な場合もそれぞれの部材を切断して取り付けるだけで良いので施工性に優れる。縦材２と縦枠３の間は、位置決めのための係合部６と止水のための空間部７が設けてあるため、より施工性に優れ、止水性も良い。
また、縦枠３は係合部６及び空間部７よりも室内側において縦材２に固定されていることにより、ネジ孔２ｄ，３ｆから雨水等が浸入するおそれがない。係合部６は縦材２の係合凹部２ｃと縦枠３の係合凸部３ｃによって構成されるため、止水の効果もある。そして、係合部６と空間部７が室内外方向に位置することで室内外の止水を確実に行うことができる。
【００１７】
本発明は、上記の実施形態に限らず本発明の要旨を逸脱しない範囲で変更可能であり、簡易構造物に設けた欄間部に限らず、建物や構造物の開口部に広く適用可能なものである。
【符号の説明】
【００１８】
１ａ    柱
１ｂ    躯体方立
１ｇ    方立
２      縦材
３      縦枠
４      パネル
５      押縁
６      係合部
７      空間部
Ｘ      外壁
Ｙ      簡易構造物
Ｚ１    欄間部（正面）
Ｚ２    欄間部（側面）
【図１】
2019190056.tif 000003
【図２】
2019190056.tif 000004
【図３】
2019190056.tif 000005
【図４】
2019190056.tif 000006
【図５】
2019190056.tif 000007